(57)【要約】  本発明の諸実施形態ではＮＦＣ構成方法を提供する。コントローラはデータおよび前記データのパラメータを記憶のためにＮＦＣモジュールに送信するか、または、記憶空間がデータに対して前記ＮＦＣモジュールにおいて予約されるように、記憶空間適用命令をＮＦＣモジュールに送信する。したがって、データがＮＦＣ  Ｈｉｇｈ方式で送信または受信されるとき、ＤＨの参加なしに、送信されたデータを前記ＮＦＣモジュールから取得することができるか、または、当該受信されたデータを前記ＮＦＣモジュールに格納することができ、それにより、ＤＨの負荷が削減される。
2016511958.tif 000002
【特許請求の範囲】
【請求項１】
電子装置のコントローラに適用されるＮＦＣ構成方法であって、前記電子装置の前記コントローラがＬＬＣＰリンク・パラメータを構成した後に、
事前設定データと前記データのパラメータを前記電子装置のＮＦＣモジュールに送信して、前記ＮＦＣモジュールが前記データと前記データの前記パラメータを記憶するようにするステップ、または、
記憶空間適用命令をＮＦＣモジュールに送信して、前記ＮＦＣモジュールは受信されたデータに対する記憶空間を前記命令に従って決定するようにするステップ
を含む、方法。
【請求項２】
前記事前設定データと前記データのパラメータを前記電子装置のＮＦＣモジュールに送信するステップは、
ユーザにより入力されたデータ転送命令が受信されたとき、前記事前設定データおよび前記データの前記パラメータを前記電子装置の前記ＮＦＣモジュールに送信するステップ、または
前記電子装置の電気量が事前設定値より小さいとき、前記事前設定データおよび前記データの前記パラメータを前記電子装置の前記ＮＦＣモジュールに送信するステップ
を少なくとも含み、
前記記憶空間適用命令をＮＦＣモジュールに送信するステップは、
ユーザにより入力されたデータ転送命令が受信されたとき、前記記憶空間適用命令を前記ＮＦＣモジュールに送信するステップ、または
前記電子装置の電気量が事前設定値より小さいとき、前記記憶空間適用命令を前記ＮＦＣモジュールに送信するステップ
を少なくとも含む、請求項１に記載の方法。
【請求項３】
前記事前設定データと前記データのパラメータを前記電子装置のＮＦＣモジュールに送信して、前記ＮＦＣモジュールが前記データと前記データの前記パラメータを記憶するようにするステップは、
前記事前設定データを前記ＮＦＣモジュール内のＮＦＣコントローラに送信して、前記ＮＦＣコントローラが前記データを記憶するために前記ＮＦＣモジュール内の記憶ユニットに送信するようにするステップと、
前記データの前記パラメータを前記ＮＦＣコントローラに送信して、前記ＮＦＣコントローラが前記データの前記パラメータを格納するようにするステップと、
を含む、請求項１または２に記載の方法。
【請求項４】
前記ＮＦＣモジュールが前記データと前記データの前記パラメータを記憶するように、前記事前設定データと前記データのパラメータを前記電子装置のＮＦＣモジュールに送信するステップは、
前記記憶ユニットが前記データを記憶し、前記データの記憶位置を前記電子装置の前記コントローラに送信するように、前記事前設定データを前記ＮＦＣモジュール内の記憶ユニットに送信するステップと、
前記ＮＦＣコントローラが前記記憶ユニットの識別子、前記記憶アドレス、および前記データの前記パラメータを格納するように、前記記憶ユニットによりフィードバックされた前記受信された記憶位置、前記記憶ユニットの識別子、および前記データの前記パラメータをＮＦＣコントローラに送信するステップと、
を含む、請求項１または２に記載の方法。
【請求項５】
前記記憶空間適用命令をＮＦＣモジュールに送信して、前記ＮＦＣモジュールが記憶空間を前記命令に従って決定するようにするステップは、
記憶空間パラメータを含む前記記憶空間適用命令を前記ＮＦＣモジュール内のＮＦＣコントローラに送信して、前記ＮＦＣコントローラは前記記憶空間に対する前記ＮＦＣモジュール内の記憶ユニットに適用されるようにするステップ
を含む、請求項１または２に記載の方法。
【請求項６】
前記記憶空間適用命令をＮＦＣモジュールに送信して、前記ＮＦＣモジュールが記憶空間を前記命令に従って決定するようにするステップは、
記憶容量を含む前記記憶空間適用命令を前記ＮＦＣモジュール内の記憶ユニットに送信して、前記記憶ユニットが前記前記適用命令に対応する記憶空間を決定するようにするステップと、
前記記憶ユニットによりフィードバックされた前記決定された記憶空間のアドレスを受信するステップと、
前記記憶ユニットの識別子、前記記憶アドレス、および記憶空間パラメータをＮＦＣコントローラに送信して、前記ＮＦＣコントローラは前記電子装置の前記コントローラが送信した前記記憶ユニットの識別子、前記記憶アドレス、および前記記憶空間パラメータを受信し記憶するようにするステップと、
を含む、請求項１または２に記載の方法。
【請求項７】
前記記憶ユニットは、
前記ＮＦＣモジュール内のセキュリティ要素と、
前記ＮＦＣモジュール内の前記コントローラの記憶ユニットと、
のうち少なくとも１つを含む、請求項３乃至６の何れか１項に記載の方法。
【請求項８】
電子装置のＮＦＣモジュールに適用されたＮＦＣ構成方法であって、
事前設定データと前記データのパラメータを受信し格納するステップであって、前記事前設定データおよび前記データの前記パラメータはＬＬＣＰリンク・パラメータが構成された後、前記電子装置のコントローラにより送信されるステップ、
または、
記憶空間適用命令を受信し、受信されたデータに対する記憶空間を前記命令に従って決定するステップであって、前記記憶空間適用命令はＬＬＣＰリンク・パラメータが構成された後、前記電子装置のコントローラにより送信されるステップ
の少なくとも１つを含む、方法。
【請求項９】
事前設定データと前記データのパラメータを受信し格納するステップは、
ＮＦＣコントローラにより、前記事前設定データおよび前記データの前記パラメータを受信するステップと、
前記ＮＦＣコントローラにより、前記データを前記ＮＦＣモジュール内の記憶ユニットに送信するステップと、
記記憶ユニットにより、前記データを格納し、前記データの記憶位置を前記ＮＦＣコントローラに送信するステップと、
前記ＮＦＣコントローラにより、前記記憶ユニットの識別子、前記記憶位置、および前記データの前記パラメータを第１の事前設定方式で格納するステップと、
を含む、請求項８に記載の方法。
【請求項１０】
事前設定データと前記データのパラメータを受信し格納するステップは、
記憶ユニットにより、前記事前設定データを受信するステップと、
前記記憶ユニットにより、前記データを格納し、前記データの記憶位置を前記電子装置の前記コントローラに送信して、前記電子装置の前記コントローラが前記データの前記記憶位置をＮＦＣコントローラに送信するようにするステップと、
前記ＮＦＣコントローラにより、前記電子装置の前記コントローラにより送信された前記記憶ユニットの識別子、前記記憶アドレスを受信し、前記データの前記パラメータ、前記記憶ユニットの識別子、前記記憶アドレス、および前記データの前記パラメータを第１の事前設定方式で格納するステップと、
を含む、請求項８に記載の方法。
【請求項１１】
記憶空間適用命令を受信し、記憶空間を前記命令に従って決定するステップは、
ＮＦＣコントローラにより、記憶空間パラメータを含む前記記憶空間適用命令を受信するステップと、
前記ＮＦＣコントローラにより、前記記憶空間適用命令に従って、記憶容量を含む適用命令を前記ＮＦＣモジュール内の記憶ユニットに送信するステップと、
前記記憶ユニットにより、前記適用命令に対応する記憶空間を決定し、前記決定された記憶空間のアドレスを前記ＮＦＣコントローラに送信するステップと、
前記ＮＦＣコントローラにより、前記記憶空間の前記アドレス、前記記憶ユニットの識別子、および前記記憶空間パラメータを第２の事前設定方式で格納するステップと、
を含む、請求項８に記載の方法。
【請求項１２】
記憶空間適用命令を受信し、記憶空間を前記命令に従って決定するステップは、
記憶ユニットにより、記憶容量を含む前記記憶空間適用命令を受信するステップと、
前記記憶ユニットにより、前記適用命令に対応する記憶空間を決定し、前記決定された記憶空間のアドレスを前記電子装置の前記コントローラに送信して、前記電子装置の前記コントローラが前記記憶ユニットの識別子、前記記憶アドレス、および記憶空間パラメータを前記ＮＦＣモジュールに送信するようにするステップと、
ＮＦＣコントローラにより、前記電子装置の前記コントローラが送信した前記記憶ユニットの識別子、前記記憶アドレス、および前記記憶空間パラメータを受信し、ｇ前記記憶ユニットの識別子、前記記憶アドレス、および前記記憶空間パラメータを第２の事前設定方式で格納するステップと、
を含む、請求項８に記載の方法。
【請求項１３】
前記記憶ユニットは、
前記ＮＦＣモジュール内のセキュリティ要素と、
前記ＮＦＣモジュール内の前記コントローラの記憶ユニットと、
を少なくとも含む、請求項９乃至１２の何れか１項に記載の方法。
【請求項１４】
電子装置のＮＦＣモジュール内のＮＦＣコントローラに適用されるＮＦＣデータ送信方法であって、
ＮＦＣリンクが確立された後、データを前記ＮＦＣモジュールから前記ＮＦＣリンクのタイプと前記データのパラメータに従って取得し、前記ＮＦＣリンクを用いて前記データを送信するステップであって、前記データと前記データの前記パラメータは、ＬＬＣＰリンク・パラメータが構成された後、前記電子装置のコントローラにより前記電子装置の前記ＮＦＣモジュールに送信され、前記データと前記データの前記パラメータは前記ＮＦＣモジュールにより格納されるステップ、または
ＮＦＣリンクが確立された後、前記ＮＦＣリンクのタイプに従って、ピア装置により送信されたデータを受信し、前記データを前記ＮＦＣモジュール内の事前設定記憶空間に格納するステップであって、前記事前設定記憶空間は、ＬＬＣＰリンク・パラメータが構成された後、前記電子装置のコントローラにより送信される受信された記憶空間適用命令に従って前記ＮＦＣコントローラにより決定されるステップ
を含む、方法。
【請求項１５】
事前設定データを前記ＮＦＣモジュールから前記ＮＦＣリンクのタイプおよび前記事前設定データのパラメータに従って取得するステップは、
前記ＮＦＣリンクの前記タイプを決定するステップと、
前記データの前記パラメータを問い合わせ、前記リンクの前記タイプをサポートする対応するデータが配置された記憶ユニットの識別子を決定するステップと、
データ取得命令を前記決定された識別子により示された前記記憶ユニットに送信するステップと、
前記記憶ユニットにより送信された前記データを受信するステップと、
を含む、請求項１４に記載の方法。
【請求項１６】
前記ＮＦＣリンクのタイプに従って、ピア装置により送信されたデータを受信し、前記データを前記ＮＦＣモジュール内の事前設定記憶空間に格納するステップは、
前記ＮＦＣリンクの前記タイプを決定するステップと、
前記ＮＦＣリンクの前記タイプに従って、前記ピア装置により送信された前記データを受信するステップと、
前記記憶空間の記憶空間パラメータを問合せるステップと、
前記記憶空間パラメータに従って、前記データを前記ＮＦＣモジュール内の対応する記憶ユニットに格納するステップと、
を含む、請求項１４に記載の方法。
【請求項１７】
前記記憶ユニットは、
前記ＮＦＣモジュール内のセキュリティ要素と、
前記ＮＦＣモジュール内の前記コントローラの記憶ユニットと、
のうち少なくとも１つを備える、請求項１５または１６に記載の方法。
【請求項１８】
電子装置に適用される制御装置であって、
前記電子装置のコントローラがＬＬＣＰリンク・パラメータを構成した後、事前設定データと前記データのパラメータを前記電子装置のＮＦＣモジュールに送信して、前記ＮＦＣモジュールが前記データと前記データの前記パラメータを記憶するようにし、かつ／または
前記ＮＦＣモジュールは受信されたデータに対する記憶空間を前記命令に従って決定するように、前記電子装置の前記コントローラが前記ＬＬＣＰリンク・パラメータを構成した後、記憶空間適用命令を前記ＮＦＣモジュールに送信する
ように構成されたＮＦＣ構成モジュールを備える、制御装置。
【請求項１９】
前記ＮＦＣ構成モジュールは、前記事前設定データを前記ＮＦＣモジュール内のＮＦＣコントローラに送信して、前記ＮＦＣコントローラが前記データを記憶するために前記ＮＦＣモジュール内の記憶ユニットに送信するようにし、前記データの前記パラメータを前記ＮＦＣコントローラに送信し、前記ＮＦＣコントローラが前記データの前記パラメータを格納するようにするように構成された第１のＮＦＣコントローラ対話ユニットを備える、請求項１８に記載のコントローラ。
【請求項２０】
前記ＮＦＣ構成モジュールは、前記事前設定データを前記ＮＦＣモジュール内の記憶ユニットに送信して、前記記憶ユニットが前記データを記憶し、前記データの記憶位置を前記電子装置の前記コントローラに送信するようにし、前記記憶ユニットによりフィードバックされた前記受信された記憶位置、前記記憶ユニットの識別子、および前記データの前記パラメータをＮＦＣコントローラに送信して、前記ＮＦＣコントローラが前記セキュリティ要素の識別子、前記記憶アドレスおよび前記データの前記パラメータを記憶するようにするように構成された第１の記憶ユニット対話ユニットを備える、請求項１８に記載のコントローラ。
【請求項２１】
前記ＮＦＣ構成モジュールは、記憶空間パラメータを含む前記記憶空間適用命令を前記ＮＦＣモジュール内のＮＦＣコントローラに送信し、前記ＮＦＣコントローラは前記記憶空間に対する前記ＮＦＣモジュール内の記憶ユニットに適用されるように構成された第２のＮＦＣコントローラ対話ユニットを備える、請求項１８に記載のコントローラ。
【請求項２２】
前記ＮＦＣ構成モジュールは、記憶容量を含む前記記憶空間適用命令を前記ＮＦＣモジュール内の記憶ユニットに送信して、前記記憶ユニットが、前記前記適用命令に対応する記憶空間を決定し、前記記憶ユニットによりフィードバックされた前記決定された記憶空間のアドレスを受信し、前記記憶ユニットの識別子、前記記憶アドレス、および記憶空間パラメータをＮＦＣコントローラに送信し、前記ＮＦＣコントローラが前記電子装置の前記コントローラが送信した前記記憶ユニットの識別子、前記記憶アドレス、および前記記憶空間パラメータを受信し記憶するようにするように構成された第２の記憶ユニット対話ユニットを備える、請求項１８に記載のコントローラ。
【請求項２３】
電子装置に適用されるＮＦＣ装置であって、
ＬＬＣＰリンク・パラメータが構成された後、前記電子装置のコントローラにより送信される事前設定データと前記データのパラメータを受信し記憶し、
かつ／または
前記ＬＬＣＰリンク・パラメータが構成された後、前記電子装置の前記コントローラにより送信される記憶空間適用命令を受信し、受信されたデータに対する記憶空間を前記命令に従って決定する
ように構成された構成応答モジュールを備える、ＮＦＣ装置。
【請求項２４】
前記構成応答モジュールは、
前記事前設定データおよび前記データの前記パラメータを受信し、前記データを送信するように構成された第１のＮＦＣコントローラと、
前記第１のＮＦＣコントローラが前記記憶ユニットの識別子、前記記憶位置、および前記データの前記パラメータを第１の事前設定方式で記憶するように、前記第１のＮＦＣコントローラにより送信された前記データを受信し記憶し、前記データの記憶位置を前記第１のＮＦＣコントローラに送信するように構成された第１の記憶ユニットと、
を備える、請求項２３に記載の装置。
【請求項２５】
前記構成応答モジュールは、
前記事前設定データを受信し記憶し、前記データの記憶位置を前記電子装置の前記コントローラに送信して、前記電子装置の前記コントローラが前記データの前記記憶位置を第２のＮＦＣコントローラに送信するようにするように構成された第２の記憶ユニットと、
前記電子装置の前記コントローラにより送信された前記記憶ユニットの識別子、前記記憶アドレス、および前記データの前記パラメータを受信し、前記記憶ユニットの識別子、前記記憶アドレス、および前記データの前記パラメータを第１の事前設定方式で記憶するように構成された前記第２のＮＦＣコントローラと、
を備える、請求項２３に記載の装置。
【請求項２６】
前記構成応答モジュールは、
記憶空間パラメータを含む前記記憶空間適用命令を受信し、前記記憶空間適用命令に従って、記憶容量を含む適用命令を前記ＮＦＣモジュール内の記憶ユニットに送信するように構成された第３のＮＦＣコントローラと、
前記第３のＮＦＣコントローラが前記記憶空間の前記アドレス、前記記憶ユニットの識別子、および前記記憶空間パラメータを第２の事前設定方式で記憶するように、前記適用命令に対応する記憶空間を決定し、前記決定された記憶空間のアドレスを前記第３のＮＦＣコントローラに送信するように構成された第３の記憶ユニットと、
を備えた、請求項２３に記載の装置。
【請求項２７】
前記構成応答モジュールは、
前記電子装置の前記コントローラが前記記憶ユニットの識別子、前記記憶アドレス、および記憶空間パラメータを前記ＮＦＣモジュールに送信するように、記憶容量を含む前記記憶空間適用命令を受信し、前記適用命令に対応する記憶空間を決定し、前記決定された記憶空間のアドレスを前記電子装置の前記コントローラに送信するように構成された第４の記憶ユニットと、
前記電子装置の前記コントローラが送信した前記記憶ユニットの識別子、前記記憶アドレス、および前記記憶空間パラメータを受信し、前記記憶ユニットの識別子、前記記憶アドレス、および前記記憶空間パラメータを第２の事前設定方式で記憶するように構成された第４のＮＦＣコントローラと、
を備える、請求項２３に記載の装置。
【請求項２８】
電子装置のＮＦＣモジュールに適用されるＮＦＣ制御装置であって、
ＮＦＣリンクが確立された後、データを前記ＮＦＣリンクのタイプと前記データのパラメータに従って前記ＮＦＣモジュールから取得し、前記ＮＦＣリンクを用いて前記データを送信するように構成されたＮＦＣデータ送信モジュールであって、前記データと前記データの前記パラメータは、ＬＬＣＰリンク・パラメータが構成された後、前記電子装置のコントローラにより前記電子装置の前記ＮＦＣモジュールに送信され、前記データと前記データの前記パラメータは前記ＮＦＣモジュールにより格納されるＮＦＣデータ送信モジュールと、
前記ＮＦＣリンクが確立された後、前記ＮＦＣリンクの前記タイプに従って、ピア装置により送信されたデータを受信し、前記データを前記ＮＦＣモジュール内の事前設定記憶空間に格納するように構成されたＮＦＣデータ受信モジュールであって、前記事前設定記憶空間は、前記ＬＬＣＰリンク・パラメータが構成された後に前記電子装置の前記コントローラにより送信された受信された記憶空間適用命令に従って前記ＮＦＣコントローラにより決定されるＮＦＣデータ受信モジュールと、
のうち少なくとも１つを含む、ＮＦＣ制御装置。
【請求項２９】
前記ＮＦＣデータ送信モジュールは、
前記ＮＦＣリンクの前記タイプを決定するように構成された第１の決定ユニットと、
前記データの前記パラメータを問い合わせ、前記リンクの前記タイプをサポートする対応するデータが配置された記憶ユニットの識別子を決定するように構成された第２の問合せユニットと、
データ取得命令を前記決定された識別子により示された前記記憶ユニットに送信するように構成された送信ユニットと、
前記記憶ユニットにより送信された前記データを受信するように構成された第１の受信ユニットと、
を備える、請求項２８に記載のＮＦＣコントローラ。
【請求項３０】
前記ＮＦＣデータ受信モジュールは、
前記ＮＦＣリンクの前記タイプを決定するように構成された第２の決定ユニットと、
前記ＮＦＣリンクの前記タイプに従って、前記ピア装置により送信された前記データを受信するように構成された第２の受信ユニットと、
前記記憶空間の記憶空間パラメータを問い合わせるように構成された第２の問合せユニットと、
前記記憶空間パラメータに従って前記データを前記ＮＦＣモジュール内の対応する記憶ユニットに格納するように構成された記憶ユニットと、
を備える、請求項２８に記載のＮＦＣコントローラ。
【発明の詳細な説明】
【技術分野】
【０００１】
本発明は通信の分野に関し、特に、ＮＦＣ構成方法、ＮＦＣデータ送信方法、コントローラ、およびＮＦＣコントローラに関する。
【背景技術】
【０００２】
近距離通信（Ｎｅａｒ  Ｆｉｅｌｄ  Ｃｏｍｍｕｎｉｃａｔｉｏｎ、ＮＦＣ）は、磁界誘導を使用して電子装置間の短距離通信を実装する技術である。ピア・ツー・ピア（ｐｅｅｒ  ｔｏ  ｐｅｅｒ、Ｐ２Ｐ）モードはＮＦＣ通信における双方向通信モードである。２つのＮＦＣ端末が双方向の情報交換をＰ２Ｐモードで実施することができる。Ｐ２Ｐモードでは、一般に論理リンク制御プロトコル（Ｌｏｇｉｃａｌ  Ｌｉｎｋ  Ｃｏｎｔｒｏｌ  Ｐｒｏｔｏｃｏｌ、ＬＬＣＰ）を使用してデータリンクを確立し、起動、停止、および管理のような動作を実施する。
【０００３】
ＮＦＣ技術の発展とともに、ＮＦＣ  Ｈｉｇｈ技術が台頭した。ＮＦＣ  Ｈｉｇｈ技術の特徴は、ＮＦＣコントローラ（ＮＦＣ  ｃｏｎｔｒｏｌｌｅｒ、ＮＦＣＣ）がＬＬＣＰリンクに基づく関連動作を制御し、電子装置のコントローラ（Ｄｅｖｉｃｅ  Ｈｏｓｔ、ＤＨ）がマスタ・コントローラの役割を果たし、ＬＬＣＰ接続上でのアプリケーション層データの交換の役割を担うことである。この場合、アプリケーション層データを送信するためにＮＦＣ  Ｈｉｇｈ技術を使用する限り、ＤＨが動作状態に留まる必要がある。したがって、ＤＨは、アプリケーション層データを必要とするＮＦＣのＰ２Ｐデータ送信に参加する必要があり、ＤＨの負荷が増大する。
【発明の概要】
【課題を解決するための手段】
【０００４】
以上に鑑み、本発明の諸実施形態ではＮＦＣ構成方法、ＮＦＣデータ送信方法、コントローラ、およびＮＦＣコントローラを提供する。これらは、既存のＮＦＣ  Ｈｉｇｈ技術において、アプリケーション層データを必要するＮＦＣ  Ｐ２Ｐデータ送信がＤＨの負荷を増大させるという問題を解決しようとするものである。
【０００５】
以上の目的を達成するために本発明の諸実施形態では以下の技術的解決策を提供する。
【０００６】
本発明の１実施形態の第１の態様では、電子装置のコントローラに適用されるＮＦＣ構成方法であって、電子装置のコントローラがＬＬＣＰリンク・パラメータを構成した後に、事前設定データと当該データのパラメータを電子装置のＮＦＣモジュールに送信して、ＮＦＣモジュールが当該データと当該データのパラメータを記憶するようにするステップか、または、記憶空間適用命令をＮＦＣモジュールに送信して、ＮＦＣモジュールが受信されたデータに対する記憶空間を当該命令に従って決定するようにするステップのうち少なくとも１つを含む方法を提供する。
【０００７】
本発明の１実施形態の第２の態様では、電子装置のＮＦＣモジュールに適用される別のＮＦＣ構成方法であって、事前設定データと当該データのパラメータを受信し格納するステップであって、当該事前設定データおよび当該データのパラメータはＬＬＣＰリンク・パラメータが構成された後、電子装置のコントローラにより送信されるステップ、または、記憶空間適用命令を受信し、受信されたデータに対する記憶空間を当該命令に従って決定するステップであって、当該記憶空間適用命令はＬＬＣＰリンク・パラメータが構成された後、電子装置のコントローラにより送信されるステップのうち少なくとも１つを含む方法を提供する。
【０００８】
本発明の１実施形態の第３の態様では、電子装置のＮＦＣモジュール内のＮＦＣコントローラに適用されるＮＦＣデータ送信方法であって、ＮＦＣリンクが確立された後、データをＮＦＣモジュールからＮＦＣリンクのタイプと当該データのパラメータに従って取得し、ＮＦＣリンクを用いて当該データを送信するステップであって、当該データと当該データのパラメータは、ＬＬＣＰリンク・パラメータが構成された後、電子装置のコントローラにより電子装置のＮＦＣモジュールに送信され、当該データと当該データのパラメータはＮＦＣモジュールにより格納されるステップ、または、ＮＦＣリンクが確立された後、ＮＦＣリンクのタイプに従って、ピア装置により送信されたデータを受信し、当該データをＮＦＣモジュール内の事前設定記憶空間に格納するステップであって、当該事前設定記憶空間は、ＬＬＣＰリンク・パラメータが構成された後、電子装置のコントローラにより送信される受信された記憶空間適用命令に従ってＮＦＣコントローラにより決定されるステップを含む方法を提供する。
【０００９】
本発明の１実施形態の第４の態様では、電子装置に適用される制御装置であって、電子装置のコントローラがＬＬＣＰリンク・パラメータを構成した後、事前設定データと当該データのパラメータを電子装置のＮＦＣモジュールに送信して、ＮＦＣモジュールが当該データと当該データのパラメータを記憶するようにし、かつ／または、電子装置のコントローラが当該ＬＬＣＰリンク・パラメータを構成した後、記憶空間適用命令をＮＦＣモジュールに送信して、ＮＦＣモジュールは受信されたデータに対する記憶空間を当該命令に従って決定するように構成されたＮＦＣ構成モジュールを備えた制御装置を提供する。
【００１０】
本発明の１実施形態の第５の態様では、電子装置に適用されるＮＦＣ装置であって、事前設定データと当該データのパラメータを受信して記憶し、かつ／または、記憶空間適用命令を受信し、受信されたデータに対する記憶空間を当該命令に従って決定ように構成された構成応答モジュールであって、当該事前設定データおよび当該データのパラメータはＬＬＣＰリンク・パラメータが構成された後に電子装置のコントローラにより送信され、当該記憶空間適用命令は当該ＬＬＣＰリンク・パラメータが構成された後に電子装置のコントローラにより送信される構成応答モジュールを備えたＮＦＣ装置を提供する。
【００１１】
本発明の１実施形態の第６の態様では、電子装置のＮＦＣモジュールに適用されるＮＦＣ制御装置であって、ＮＦＣリンクが確立された後、データをＮＦＣリンクのタイプと当該データのパラメータに従ってＮＦＣモジュールから取得し、ＮＦＣリンクを用いて当該データを送信するように構成されたＮＦＣデータ送信モジュールであって、当該データと当該データのパラメータは、ＬＬＣＰリンク・パラメータが構成された後、電子装置のコントローラにより電子装置のＮＦＣモジュールに送信され、当該データと当該データのパラメータはＮＦＣモジュールにより格納されるＮＦＣデータ送信モジュールと、ＮＦＣリンクが確立された後、ＮＦＣリンクのタイプに従って、ピア装置により送信されたデータを受信し、当該データをＮＦＣモジュール内の事前設定記憶空間に格納するように構成されたＮＦＣデータ受信モジュールであって、当該事前設定記憶空間は、ＬＬＣＰリンク・パラメータが構成された後に電子装置のコントローラにより送信された受信された記憶空間適用命令に従ってＮＦＣコントローラにより決定されるＮＦＣデータ受信モジュールとのうち少なくとも１つを備えたＮＦＣ制御装置を提供する。
【００１２】
本発明の諸実施形態ではＮＦＣ構成方法を提供する。コントローラは、データおよび当該データのパラメータを記憶のためにＮＦＣモジュールに送信するか、または、記憶空間がＮＦＣモジュールにおいてデータに対して予約されるように記憶空間適用命令をＮＦＣモジュールに送信する。したがって、データがＮＦＣ  Ｈｉｇｈ方式で送信または受信されるとき、ＤＨの参加なしに、送信されたデータをＮＦＣモジュールから取得することができ、または、当該受信されたデータをＮＦＣモジュールに格納することができ、それにより、ＤＨの負荷が削減される。
【００１３】
本発明の諸実施形態または先行技術における技術的解決策をより明確に説明するために、以下では当該諸実施形態または先行技術を説明するのに必要な添付図面を簡単に説明する。明らかに、以下の説明における添付図面は本発明の幾つかの実施形態を示すにすぎず、当業者は創造的作業なしにこれらの添付図面から他の図面を導出することができる。
【図面の簡単な説明】
【００１４】
【図１】本発明の１実施形態で開示するＮＦＣ構成方法の流れ図である。
【図２】本発明の１実施形態で開示するＮＦＣ構成方法において、コントローラＤＨが事前設定データと当該データのパラメータを電子装置のＮＦＣモジュールに送信する１実装方式の流れ図である。
【図３】本発明の１実施形態で開示するＮＦＣ構成方法において、コントローラＤＨが事前設定データと当該データのパラメータを電子装置のＮＦＣモジュールに送信する別の実装方式の流れ図である。
【図４】本発明の１実施形態で開示するＮＦＣ構成方法における記憶空間適用命令をＮＦＣモジュールに送信するステップの１実装方式の流れ図である。
【図５】本発明の１実施形態で開示するＮＦＣ構成方法における記憶空間適用命令をＮＦＣモジュールに送信するステップの別の実装方式の流れ図である。
【図６】本発明の１実施形態で開示する別のＮＦＣ構成方法の流れ図である。
【図７】本発明の１実施形態で開示する別のＮＦＣ構成方法において、ＮＦＣモジュールが事前設定データと当該データのパラメータを受信し格納する１実装方式の流れ図である。
【図８】本発明の１実施形態で開示する別のＮＦＣ構成方法において、ＮＦＣモジュールが事前設定データと当該データのパラメータを受信し格納する別の実装方式の流れ図である。
【図９】本発明の１実施形態で開示する別のＮＦＣ構成方法において、ＮＦＣモジュールが記憶空間適用命令を受信し、記憶空間を当該命令に従って決定する１実装方式の流れ図である。
【図１０】本発明の１実施形態で開示する別のＮＦＣ構成方法において、ＮＦＣモジュールが記憶空間適用命令を受信し、記憶空間を当該命令に従って決定する別の実装方式の流れ図である。
【図１１】本発明の１実施形態で開示するＮＦＣデータ送信方法の流れ図である。
【図１２】本発明の１実施形態で開示するＮＦＣデータ送信方法におけるデータ送信方法の流れ図である。
【図１３】本発明の１実施形態で開示するＮＦＣデータ送信方法におけるデータ受信方法の流れ図である。
【図１４】本発明の１実施形態で開示するコントローラの略構造図である。
【図１５】本発明の１実施形態で開示するＮＦＣ制御装置の略構造図である。
【図１６】本発明の１実施形態で開示するＮＦＣコントローラの略構造図である。
【発明を実施するための形態】
【００１５】
本発明の諸実施形態では、ＮＦＣ構成方法およびコントローラを開示する。本発明の中心は、電子装置のコントローラが、ＮＦＣ  Ｈｉｇｈを用いて送信されたデータをＮＦＣモジュールに送信し、記憶空間適用命令をＮＦＣモジュールに送信して、受信されたデータに対する記憶空間をＮＦＣモジュール内に予約することである。以上の構成方法およびコントローラに基づいて、本発明の諸実施形態ではＮＦＣデータ送信方法およびＮＦＣコントローラを開示する。電子装置がＮＦＣ  Ｈｉｇｈを用いてデータを送信するとき、ＮＦＣコントローラは送信されたデータをＮＦＣモジュールから直接取得するか、または、受信されたデータをＮＦＣモジュール内の予約された記憶空間に格納してもよい。したがって、ＮＦＣ  Ｈｉｇｈを用いてデータを送信するときに電子装置のコントローラの参加は必要でない。
【００１６】
以下で、本発明の諸実施形態における添付図面を参照して本発明の諸実施形態の技術的解決策を明確かつ十分に説明する。明らかに、説明する諸実施形態は本発明の諸実施形態の一部にすぎず全部ではない。当業者が本発明の諸実施形態に基づいて創造的作業なしに取得する他の全ての実施形態は本発明の保護範囲に入るものとする。
【００１７】
本発明の１実施形態で開示するＮＦＣ構成方法は電子装置のコントローラに適用される。電子装置のコントローラがＬＬＣＰリンク・パラメータを構成した後、図１に示すように、当該方法は、以下のステップのうち少なくとも１つを備える。
【００１８】
Ｓ１０１で、事前設定データと当該データのパラメータを電子装置のＮＦＣモジュールに送信する。
【００１９】
当該ステップは、ＮＦＣモジュールが当該データと当該データのパラメータを格納できるようにするものである。
【００２０】
当該実施形態では、当該事前設定データは、ユーザにより事前設定されたアプリケーション層データである。事前設定データと当該データのパラメータを電子装置のＮＦＣモジュールに送信するステップの具体的な実装手続きが、ユーザにより入力されたデータ転送命令が受信された後に、当該事前設定データおよび当該データのパラメータを電子装置のＮＦＣモジュールに送信するステップ、または、電子装置の電気量が事前設定値より小さいとき、当該事前設定データおよび当該データのパラメータを電子装置のＮＦＣモジュールに送信するステップ、または、ユーザにより入力されたデータ転送命令が受信され電子装置の電気量が事前設定値より小さいとき、当該事前設定データおよび当該データのパラメータを電子装置のＮＦＣモジュールに送信するステップであってもよい。
【００２１】
当該アプリケーション層データが、特に、データ・セット、または命令およびデータの集合（Ｊａｖａ（登録商標）  Ａｐｐｌｅｔ）であってもよいことに留意されたい。
【００２２】
ユーザにより入力されたデータ転送命令が、ユーザにより事前設定された転送データを含んでもよい。例えば、ユーザが出かける前に、ユーザが緊急連絡先の電話番号を転送データとして決定する。当該事前設定値が、電子装置の総電気量に従って設定された値であってもよい。例えば、当該事前設定値は電子装置の総電気量の１０％である。
【００２３】
特に、当該実施形態では、図２に示すように、電子装置のコントローラＤＨがＬＬＣＰリンク・パラメータを構成し、事前設定データと当該データのパラメータを電子装置のＮＦＣモジュールに送信する１実装方式は以下を含む。Ｓ２０１で、ＤＨがＬＬＣＰ  Ｈｉｇｈに関連するパラメータを構成する。
【００２４】
当該実施形態の構成手続きは先行技術のものと同じであり、ＬＬＣＰリンク確立に関連するパラメータを構成するために使用される。
【００２５】
Ｓ２０２で、ＤＨが事前設定データを電子装置のＮＦＣモジュール内のＮＦＣＣに送信して、ＮＦＣＣが当該データを記憶するためにＮＦＣモジュール内の記憶ユニットに送信するようにする。
【００２６】
Ｓ２０３で、ＤＨが当該事前設定データのパラメータをＮＦＣＣに送信して、ＮＦＣＣが当該データのパラメータを格納するようにする。
【００２７】
当該実施形態では、ＮＦＣモジュール内の記憶ユニットがＮＦＣモジュール内のセキュリティ要素（Ｓｅｃｕｒｉｔｙ  Ｅｌｅｍｅｎｔ、ＳＥ）であってもよい。一般に、当該セキュリティ要素は、ＮＦＣユーザのデータと実行環境を格納するように構成されたモジュールである。ＮＦＣモジュール内の記憶ユニットがＮＦＣＣ内の記憶ユニットであってもよい。即ち、ＮＦＣＣは記憶機能を有する。
【００２８】
即ち、当該実装方式では、ＤＨが事前設定データおよび当該データのパラメータの両方をＮＦＣＣに送信し、ＮＦＣＣが当該データをＮＦＣＣに格納するか、または、当該データをＮＦＣモジュール内のＳＥに格納し当該データのパラメータをＮＦＣＣに格納する。
【００２９】
ＮＦＣＣがデータをＮＦＣモジュール内の記憶ユニットに格納する手続きは下記の実施形態で説明されており、詳細についてはここでは再度説明しない。
【００３０】
さらに、図３に示すように、電子装置のコントローラＤＨがＬＬＣＰリンク・パラメータを構成し、事前設定データと当該データのパラメータを電子装置のＮＦＣモジュールに送信する別の実装方式は以下を含む。Ｓ３０１で、ＤＨがＬＬＣＰ  Ｈｉｇｈに関連するパラメータを構成する。Ｓ３０２で、ＤＨが当該事前設定データをＮＦＣモジュール内の記憶ユニットに送信する。
【００３１】
以上の実装方式と同様に、ＮＦＣモジュール内の記憶ユニットがＳＥ、またはＮＦＣＣ内の記憶ユニットであってもよい。
【００３２】
データを受信した後、記憶ユニットがデータを格納し、当該データの記憶位置をＤＨにフィードバックする。Ｓ３０３で、ＤＨが当該記憶ユニットによりフィードバックされた記憶位置を受信する。
【００３３】
Ｓ３０４で、ＤＨが記憶位置、記憶ユニットの識別子、および当該データのパラメータをＮＦＣＣに送信して、ＮＦＣＣがセキュリティ要素の識別子、記憶アドレスおよび当該データのパラメータを記憶するようにする。
【００３４】
当該実施形態の方式では、ＤＨは事前設定データをＳＥまたはＮＦＣＣ内の記憶ユニットに直接送信し、ＳＥまたはＮＦＣＣ内の記憶ユニットからフィードバックを受信した後、フィードバック情報および当該データのパラメータをＮＦＣＣに再度送信する。
【００３５】
当該実施形態では、事前設定データのパラメータは少なくともサービスアクセス・ポイント（Ｓｅｒｖｉｃｅ  Ａｃｃｅｓｓ  Ｐｏｉｎｔ、ＳＡＰ）を含み、そのうえ、リンク・サービス・クラス（Ｌｉｎｋ  Ｓｅｒｖｉｃｅ  Ｃｌａｓｓ、ＬＳＣ）等を含みうることが好ましい。
【００３６】
以上の２つの実装方式では、ＳＡＰが特に、連絡先、ＳＭＳメッセージ、写真、クーポン等であってもよく、ＬＳＣが接続指向（ＣＯ）、コネクションレス（ＣＬ）、または接続指向およびコネクションレス（ＣＯ／ＣＬ）であってもよい。
【００３７】
Ｓ１０２で、記憶空間適用命令をＮＦＣモジュールに送信して、ＮＦＣモジュールが記憶空間を当該命令に従って決定するようにする。
【００３８】
特に、記憶空間適用命令をＮＦＣモジュールに送信するステップが、ユーザにより入力されたデータ転送命令が受信された後、当該記憶空間適用命令をＮＦＣモジュールに送信するステップ、または、電子装置の電気量が事前設定値より小さいとき、当該記憶空間適用命令をＮＦＣモジュールに送信するステップ、または、ユーザにより入力されたデータ転送命令が受信され電子装置の電気量が事前設定値より小さいとき、当該記憶空間適用命令をＮＦＣモジュールに送信するステップであってもよい。
【００３９】
特に、図４に示すように、ＤＨがＬＬＣＰリンク・パラメータを構成し記憶空間適用命令をＮＦＣモジュールに送信する１実装方式は以下の通りである。Ｓ４０１で、ＤＨがＬＬＣＰ  Ｈｉｇｈに関連するパラメータを構成する。Ｓ４０２で、ＤＨが当該記憶空間適用命令をＮＦＣモジュール内のＮＦＣＣに送信する。
【００４０】
当該記憶空間命令は記憶空間パラメータを含み、特に、当該記憶空間パラメータは少なくとも記憶容量とＳＡＰを含み、そのうえ、さらにＬＳＣを含んでもよい。
【００４１】
当該記憶空間適用命令を受信した後、ＮＦＣＣが記憶空間に関してＮＦＣモジュール内の記憶ユニットに適用される。ＮＦＣＣを記憶空間に関して記憶ユニットに適用する具体的なステップを以下の実施形態で説明する。
【００４２】
ＮＦＣモジュール内の記憶ユニットがＳＥであってもよく、または、ＮＦＣＣ内の記憶ユニットであってもよい。即ち、ＤＨが、当該記憶空間を求めるためにＮＦＣＣに要求する命令を送信し、記憶空間適用命令を受信した後に、ＮＦＣＣを当該記憶空間に関してＳＥに適用してもよく、または、当該記憶空間に関してＮＦＣＣの記憶ユニットに適用してもよい。
【００４３】
図５に示すように、ＤＨがＬＬＣＰリンク・パラメータを構成し記憶空間適用命令をＮＦＣモジュールに送信する別の実装方式は以下を含む。Ｓ５０１で、ＤＨがＬＬＣＰ  Ｈｉｇｈに関連するパラメータを構成する。
【００４４】
Ｓ５０２で、ＤＨが記憶容量を含む記憶空間適用命令をＮＦＣモジュール内の記憶ユニットに送信する。同様に、当該記憶ユニットがＳＥであってもよく、または、ＮＦＣＣ内の記憶ユニットであってもよい。
【００４５】
当該適用命令を受信した後、当該記憶ユニットは当該適用命令に対応する記憶空間を決定する。即ち、決定された記憶空間の容量は当該適用命令に含まれる記憶容量と同じであり、当該決定された記憶空間のアドレスをＤＨに送信する。
【００４６】
Ｓ５０３で、ＤＨが当該記憶ユニットによりフィードバックされた決定された記憶空間のアドレスを受信する。
【００４７】
Ｓ５０４で、当該記憶ユニットの識別子、当該記憶空間のアドレス、および記憶空間パラメータをＮＦＣモジュール内のＮＦＣＣに送信する。以上のデータを受信した後、ＮＦＣＣが当該データを格納する。
【００４８】
特に、当該記憶空間パラメータは少なくともＳＡＰであり、そのうえ、さらにＬＳＣを含んでもよい。
【００４９】
当該実施形態のＮＦＣ構成方法によれば、ＮＦＣデータ送信の前に構成がＮＦＣモジュールで実施される。既存のＮＦＣ構成方法と比べて、当該実施形態の方法によれば、ＮＦＣで実施される一般的な構成に加えて、ＤＨがさらに事前設定データをＮＦＣモジュールに格納するか、または、ＤＨを記憶空間に関してＮＦＣモジュールに適用して、ＮＦＣモジュールがＤＨの幾つかの機能を或る程度実装するようにする。したがって、ＮＦＣデータ送信段階で、アプリケーション層データを送信し格納するためのＤＨの機能をＮＦＣモジュールにより実装することができる。したがって、ＤＨの参加は必要でない。何らかの理由でＤＨが動作できないとき、ＮＦＣモジュールは依然としてデータ送信を実施することができる。
【００５０】
以上の実施形態における方法を主に電子装置のコントローラの観点から説明する。本発明の１実施形態では、電子装置のＮＦＣモジュールに適用される別のＮＦＣ構成方法を開示する。図６に示すように、以下のステップのうち少なくとも１つを備える。
【００５１】
Ｓ６０１で、ＮＦＣモジュールが事前設定データと当該データのパラメータを受信し、格納する。
【００５２】
当該事前設定データおよび当該データのパラメータはＬＬＣＰリンク・パラメータが構成された後、電子装置のコントローラにより送信される。
【００５３】
特に、図７に示すように、ＮＦＣモジュールが事前設定データと当該データのパラメータを受信し、格納する実装方式の１つは以下を含む。
【００５４】
Ｓ７０１で、ＮＦＣＣが、ＤＨにより送信された事前設定データおよび当該データのパラメータを受信する。Ｓ７０２で、ＮＦＣＣが当該データをＮＦＣモジュール内の記憶ユニットに送信する。
【００５５】
ＮＦＣモジュール内の記憶ユニットがＳＥであるか、または、ＮＦＣＣ内の記憶ユニットであることが好ましい。
【００５６】
Ｓ７０３で、当該記憶ユニットが、格納が成功したことをＮＦＣＣに通知し、当該データの記憶アドレスをＮＦＣＣにフィードバックする。
【００５７】
Ｓ７０４で、ＮＦＣＣが当該記憶ユニットの識別子、記憶アドレス、および当該データのパラメータを第１の事前設定方式で格納する。Ｓ７０５で、ＮＦＣＣが、当該構成が成功したことをＤＨに通知する。
【００５８】
ＮＦＣＣがそれに対応して当該記憶ユニットの識別子、記憶アドレス、および当該データのパラメータをリスト方式で、例えば、表１の形式で格納できることが好ましい。
【００５９】
ＳＥＩＤは記憶ユニットの識別子であり、ＳＥ１、ＳＥ２、ＳＥ３、およびＳＥ４は具体的な記憶ユニットであり、Ａｄｄｒ１、Ａｄｄｒ２、Ａｄｄｒ３、およびＡｄｄｒ４は具体的な記憶アドレスである。
【００６０】
当該データがＪａｖａ（登録商標）  Ａｐｐｌｅｔであるとき、ＤａｔａパラメータはＪａｖａ（登録商標）  Ａｐｐｌｅｔの識別子である。
【００６１】
【表１】
2016511958.tif 000003
【００６２】
即ち、ＮＦＣＣがＤＨにより送信されたデータと当該データのパラメータを受信し、ＮＦＣＣがＮＦＣモジュール内の記憶ユニットと交換した後、当該データと当該データのパラメータの格納が実装される。
【００６３】
図８に示すように、ＮＦＣモジュールが事前設定データと当該データのパラメータを受信し、格納する別の実装方式は以下を含む。Ｓ８０１で、ＮＦＣモジュール内の記憶ユニットが当該事前設定データを受信する。
【００６４】
Ｓ８０２で、当該記憶ユニットが当該データを格納し、格納が成功したことをＤＨに通知し、当該データの記憶位置をＤＨに送信する。
【００６５】
Ｓ８０３で、ＮＦＣＣがＤＨにより送信された当該記憶ユニットの識別子、記憶アドレス、および当該データのパラメータを受信し、当該記憶ユニットの識別子、当該記憶アドレス、および当該データのパラメータを第１の事前設定方式で格納する。具体的な格納方式を表１に示す。Ｓ８０４で、ＮＦＣＣが、当該構成が成功したことをＤＨに通知する。
【００６６】
以前の実装方式との差異は、当該実装方式では、記憶モジュールがＤＨと直接交換し、記憶アドレスが決定された後、ＮＦＣＣがＤＨにより送信された当該記憶アドレス、当該記憶ユニットの識別子、および当該データのパラメータを受信することである。
【００６７】
Ｓ６０２で、記憶空間適用命令を受信し、当該命令に従って記憶空間を決定する。当該記憶空間適用命令はＬＬＣＰリンク・パラメータが構成された後、電子装置のコントローラにより送信される。
【００６８】
特に、図９に示すように、ＮＦＣモジュールが記憶空間適用命令を受信し、記憶空間を当該命令に従って決定する１実装方式は以下を含む。
【００６９】
Ｓ９０１で、ＮＦＣモジュール内のＮＦＣＣが、記憶空間パラメータを含む記憶空間適用命令を受信する。
【００７０】
当該記憶空間パラメータは記憶容量とＳＡＰを含み、さらにＬＳＣを含みうるのが好ましい。
【００７１】
Ｓ９０２で、ＮＦＣＣが、当該記憶空間適用命令に従って、記憶容量を含む適用命令をＳＥまたはＮＦＣＣ内の記憶ユニットに送信する。
【００７２】
当該ステップにおける記憶容量を記憶空間パラメータから取得してもよい。
【００７３】
Ｓ９０３で、ＳＥまたはＮＦＣＣ内の記憶ユニットは、当該適用命令に対応する記憶空間を決定し、当該決定された記憶空間のアドレスをＮＦＣＣに送信する。
【００７４】
当該記憶空間の容量は当該適用命令に含まれる記憶容量と同じである。
【００７５】
Ｓ９０４で、ＮＦＣＣが当該記憶空間のアドレス、当該記憶ユニットの識別子、および当該記憶空間パラメータを格納する。Ｓ９０５で、ＮＦＣＣが、当該構成が成功したことをＤＨに通知する。
【００７６】
図１０に示すように、ＮＦＣモジュールが記憶空間適用命令を受信し、記憶空間を当該命令に従って決定する別の実装方式を以下を含む。
【００７７】
Ｓ１００１で、ＮＦＣモジュール内の記憶ユニットが記憶容量を含む記憶空間適用命令を受信する。
【００７８】
ＮＦＣモジュール内の記憶ユニットがＳＥ、またはＮＦＣＣ内の記憶ユニットであることが好ましい。
【００７９】
Ｓ１００２で、当該記憶ユニットが当該適用命令に対応する記憶空間を決定する。
【００８０】
Ｓ１００３で、当該記憶ユニットが当該決定された記憶空間のアドレスをＤＨに送信する。
【００８１】
当該記憶空間のアドレスを受信した後、ＤＨが当該記憶空間のアドレス、当該記憶ユニットの識別子、および記憶空間パラメータをＮＦＣＣに送信する。
【００８２】
Ｓ１００４で、ＮＦＣＣが、当該記憶空間のアドレス、当該記憶ユニットの識別子、および記憶空間パラメータを受信し、当該記憶空間のアドレス、当該記憶ユニットの識別子、および当該記憶空間パラメータを第２の事前設定方式で格納する。
【００８３】
当該第２の事前設定方式を表２に示してもよい。表１との差異は、表２では、ＳＡＰがさらに任意のタイプであってもよく、入力／出力が出力ではなく記憶であることである。
【００８４】
【表２】
2016511958.tif 000004
【００８５】
Ｓ１００５で、ＮＦＣＣが、当該構成が成功したことをＤＨに通知する。
【００８６】
当該実施形態のＮＦＣ構成方法を主にＮＦＣモジュールを対象として用いることで説明する。ＮＦＣＣとＮＦＣモジュール内の記憶ユニットは、協調して、ＤＨにより送信されたデータおよび当該データのパラメータを格納するか、または、ＤＨにより要求された記憶空間を予約する。したがって、後続のＮＦＣデータ送信手続きにおいて、ＤＨの参加はもはや必要でなく、ＮＦＣデータ送信をＤＨの制御外で実装することができる。結果として、ＤＨが動作できないとき、ＮＦＣデータ送信は影響を受けない。
【００８７】
以上のＮＦＣ構成方法に基づいて、本発明の１実施形態では、電子装置のＮＦＣモジュール内のＮＦＣＣに適用されるＮＦＣデータ送信方法を開示する。図１１に示すように、当該方法は以下のステップのうち少なくとも１つを備える。
【００８８】
Ｓ１１０１で、ＮＦＣリンクが確立された後、データをＮＦＣリンクのタイプと当該データのパラメータに従ってＮＦＣモジュールから取得し、ＮＦＣリンクを用いて当該データを送信する。当該データと当該データのパラメータは、ＬＬＣＰリンク・パラメータが構成された後、電子装置のコントローラにより電子装置のＮＦＣモジュールに送信され、当該データと当該データのパラメータはＮＦＣモジュールにより格納される。
【００８９】
即ち、ＮＦＣデータ送信の前に、当該データと当該データのパラメータが前もってＤＨによりＮＦＣモジュールに格納される。特に、当該データと当該データのパラメータをＮＦＣモジュールに格納する手続きはＮＦＣデータ送信に対する構成段階である。上述のＮＦＣ構成方法の実施形態を参照されたい。詳細についてはここでは再度説明しない。特に、図２に示すように、Ｓ１１０１が以下を含んでもよい。即ち、Ｓ１２０１でＮＦＣリンクを確立する。
【００９０】
当該実施形態のＮＦＣリンク確立手続きは先行技術のものと同じであり、詳細についてはここでは再度説明しない。一般に、サービス・クラスに従って、ＮＦＣリンクをコネクションレス（ＣＬ）タイプ、接続指向（ＣＯ）タイプ、およびＣＬ／ＣＯに分類してもよい。Ｓ１２０２で、ＮＦＣＣがＮＦＣリンクのタイプを決定する。即ち、ＮＦＣリンクがＣＬ、ＣＯ、またはＣＬ／ＣＯであるかどうかが判定される。
【００９１】
Ｓ１２０３で、ＮＦＣＣが当該データのパラメータを問い合わせ、当該リンクのタイプをサポートする対応するデータが配置される記憶ユニットを決定する。
【００９２】
当該データのパラメータは、構成段階での格納のために、ＤＨによりＮＦＣモジュールに送信される。当該実施形態では、現在のＮＦＣリンクのタイプに対応するデータが配置された記憶ユニットの識別子、および、記憶アドレスを上述の表１から問い合わせてもよい。データがＪａｖａ（登録商標）  Ａｐｐｌｅｔであるとき、現在のＮＦＣリンクのタイプに対応するＪａｖａ（登録商標）  Ａｐｐｌｅｔが配置される記憶ユニットの識別子、および、当該Ｊａｖａ（登録商標）  Ａｐｐｌｅｔの識別子を上述の表１から問い合わせてもよい。
【００９３】
特に、ＮＦＣリンクのタイプがＣＬまたはＣＬ／ＣＯであるとき、表１を問い合わせ、ＳＥ１、ＳＥ２、およびＳＥ３に対応する記憶アドレス内のデータがＮＦＣリンクのタイプと同じであること、即ち、現在のリンクのタイプがサポートされることが決定される。ＮＦＣリンクのタイプがＣＯであるとき、表１を問い合わせ、記憶ユニットの識別子と記憶アドレスが決定されると、ＬＳＣがＣＯであるという基礎に加えて、ＳＡＰタイプがさらに基礎として使用される。基礎として使用されるＳＡＰタイプは、ＮＦＣリンク確立段階でピア装置により送信される。例えば、当該ピア装置により送信されたＣｏｎｔａｃｔｓが受信された場合、記憶ユニットの識別子とアドレスが問い合わされると、ＣＯとＣｏｎｔａｃｔｓの両方が満たされなければならないということが基礎として用いられる。
【００９４】
Ｓ１２０４で、ＮＦＣＣがデータ取得命令を当該決定された識別子により示された記憶ユニットに送信する。
【００９５】
当該記憶ユニット内のデータがデータのみであり命令を含まない場合、当該記憶ユニットは命令に従って元のデータを直接ＮＦＣＣに送信し、当該記憶ユニット内のデータが論理命令を含むデータである場合、送信すべきデータ・パケットが当該論理命令に従って生成され、当該送信すべきデータ・パケットがＮＦＣＣに送信されることに留意されたい。Ｓ１２０５で、ＮＦＣＣが当該記憶ユニットにより送信されたデータを受信する。
【００９６】
当該実施形態では、ＮＦＣモジュール内の記憶ユニットもＳＥ、またはＮＦＣＣ内の記憶ユニットであることが好ましい。ＮＦＣＣが、１つの記憶ユニット、２つの記憶ユニット、またはそれより多くの記憶ユニットからデータを取得してもよい。Ｓ１２０６で、ＮＦＣＣがＮＦＣリンクを用いることによって受信されたデータを送信する。
【００９７】
当該受信されたデータが、命令に従って記憶ユニットによりＮＦＣＣに直接送信された元のデータである場合、ＮＦＣＣが当該データを、ＬＬＣＰ標準を満たすデータ・パケットに変換し、ＮＦＣリンクを用いることによって当該データ・パケットを送信することに留意されたい。当該受信されたデータが論理命令に従って生成された送信すべきデータ・パケットである場合、ＮＦＣＣはＮＦＣリンクを用いることによって当該送信すべきデータ・パケットを直接送信する。
【００９８】
Ｓ１１０２で、ＮＦＣリンクが確立された後、ピア装置により送信されたデータを受信し、ＮＦＣリンクのタイプに従って、当該データをＮＦＣモジュール内の事前設定記憶空間に格納する。
【００９９】
当該事前設定記憶空間は、ＬＬＣＰリンク・パラメータが構成された後に電子装置のコントローラにより送信された受信された記憶空間適用命令に従ってＮＦＣコントローラにより決定される。
【０１００】
特に、図１３に示すように、ピア装置により送信されたデータを受信し、ＮＦＣリンクのタイプに従って当該データをＮＦＣモジュール内の事前設定記憶空間に格納する手続きは以下を含む。Ｓ１３０１でＮＦＣリンクを確立する。Ｓ１３０２で、ＮＦＣリンクのタイプを決定する。Ｓ１３０３で、ＮＦＣリンクのタイプに従って、ピア装置により送信されたデータを受信する。
【０１０１】
ＮＦＣリンクのタイプがＣＯである場合、データのＳＡＰをピア装置のものとマッチする必要があり、次いで、データが受信される。ＮＦＣリンクのタイプがＣＬまたはＣＬ／ＣＯである場合、当該データをマッチング手続きなしに直接受信してもよい。Ｓ１３０４で、記憶空間の記憶空間パラメータを問い合わせる。
【０１０２】
当該記憶空間パラメータは構成段階でＮＦＣモジュール内の記憶ユニットに格納される。当該実施形態の記憶空間パラメータについては、上述の表２を参照されたい。
【０１０３】
Ｓ１３０５で、当該記憶空間パラメータに従ってデータをＮＦＣモジュール内の対応する記憶ユニットに格納する。
【０１０４】
即ち、表２の項目に従って、そのパラメータが当該項目の全てにマッチするデータが記憶ユニットに格納される。例えば、受信されたデータが写真でありＣＬ／ＣＯをサポートする場合には、そのアドレスがＡｄｄｒ３であるデータをＳＥ３に格納してもよい。
【０１０５】
データにマッチするＳＡＰが見つからない場合、データを、そのＳＡＰが任意のタイプである記憶空間に格納してもよいことに留意されたい。
【０１０６】
先行技術では、ＮＦＣデータ送信手続きにおいて、アプリケーション層データの送信または受信を必要とする手続きにはＤＨの参加が必要である。したがって、電子装置の電気量がＤＨの動作をサポートするのに十分でないとき、ＮＦＣモジュールはデータを送信することができない。
【０１０７】
当該実施形態のＮＦＣデータ送信方法によれば、送信すべきデータと当該データのパラメータの両方が前もってＮＦＣモジュールに格納されるか、または、受信されたデータを格納するための記憶空間が前もってＮＦＣモジュールにおいて設定されるので、ＤＨがデータ送信手続きに参加する必要はない。したがって、電気量が少ないためＤＨが動作できない場合でも、ピアＮＦＣ装置と通信するとき、ＮＦＣモジュールはピアＮＦＣ装置による放射により生成された電界から電気を取得でき、したがって、局所的な電気が十分でない場合にデータを送信することができる。
【０１０８】
当該実施形態のＮＦＣデータ送信方法によれば、ＤＨの参加は必要でなく、これによりＤＨの負荷を削減でき、さらに、電子装置の電気量による制限が解かれ、ユーザに利便性をもたらすことは分かる。
【０１０９】
以上の方法の実施形態に対応して、本発明の１実施形態ではさらに、電子装置に適用される制御装置を開示する。当該装置は、電子装置のコントローラがＬＬＣＰリンク・パラメータを構成した後、事前設定データと当該データのパラメータを電子装置のＮＦＣモジュールに送信して、ＮＦＣモジュールが当該データと当該データのパラメータを記憶するようにし、かつ／または、電子装置のコントローラがＬＬＣＰリンク・パラメータを構成した後、記憶空間適用命令をＮＦＣモジュールに送信して、ＮＦＣモジュールが受信されたデータに対する記憶空間を当該命令に従って決定するようにするように構成されたＮＦＣ構成モジュールを備える。
【０１１０】
さらに、ＮＦＣ構成モジュールが特に、事前設定データをＮＦＣモジュール内のＮＦＣコントローラに送信し、ＮＦＣコントローラが当該データを記憶するためにＮＦＣモジュール内の記憶ユニットに送信するようにし、当該データのパラメータをＮＦＣコントローラに送信して、ＮＦＣコントローラが当該データのパラメータを格納するようにするように構成された第１のＮＦＣコントローラ対話ユニット、または、当該事前設定データをＮＦＣモジュール内の記憶ユニットに送信して、当該記憶ユニットが当該データを記憶し、当該データの記憶位置を電子装置のコントローラに送信するようにし、当該記憶ユニットによりフィードバックされた受信された記憶位置、当該記憶ユニットの識別子、および当該データのパラメータをＮＦＣコントローラに送信して、ＮＦＣコントローラがセキュリティ要素の識別子、記憶アドレスおよび当該データのパラメータを記憶するようにするように構成された第１の記憶ユニット対話ユニット、または、記憶空間パラメータを含む記憶空間適用命令をＮＦＣモジュール内のＮＦＣコントローラに送信して、ＮＦＣコントローラが当該記憶空間に対するＮＦＣモジュール内の記憶ユニットに適用されるようにするように構成された第２のＮＦＣコントローラ対話ユニット、または、記憶容量を含む記憶空間適用命令をＮＦＣモジュール内の記憶ユニットに送信して、当該記憶ユニットが、当該適用命令に対応する記憶空間を決定し、当該記憶ユニットによりフィードバックされた決定された記憶空間のアドレスを受信するようにし、当該記憶ユニットの識別子、記憶アドレス、および記憶空間パラメータをＮＦＣコントローラに送信して、ＮＦＣコントローラが電子装置のコントローラが送信した記憶ユニットの識別子、記憶アドレス、および記憶空間パラメータを受信し記憶するようにするように構成された第２の記憶ユニット対話ユニットであってもよい。
【０１１１】
当該実施形態では、当該記憶ユニットがＳＥまたはＮＦＣＣの記憶ユニットであることが好ましい。
【０１１２】
本発明の１実施形態ではさらにコントローラを開示する。図１４に示すように、当該コントローラは、電子装置のコントローラがＬＬＣＰリンク・パラメータを構成した後、事前設定データと当該データのパラメータを電子装置のＮＦＣモジュールに送信して、ＮＦＣモジュールが当該データと当該データのパラメータを記憶するようにし、かつ／または、電子装置のコントローラがＬＬＣＰリンク・パラメータを構成した後、記憶空間適用命令をＮＦＣモジュールに送信して、ＮＦＣモジュールが受信されたデータに対する記憶空間を当該命令に従って決定するようにするように構成された第１のプロセッサ１４０１と、当該第１のプロセッサ内のプログラムと当該第１のプロセッサ内のプログラムが実行されたとき生成されるデータとを格納するように構成された第１のメモリ１４０２とを備える。
【０１１３】
本発明の１実施形態ではさらに、電子装置に適用されるＮＦＣ装置を提供する。当該装置は、事前設定データと当該データのパラメータを受信し記憶するように構成され、かつ／または、記憶空間適用命令を受信し、受信されたデータに対する記憶空間を当該命令に従って決定するように構成された構成応答モジュールであって、当該事前設定データおよび当該データのパラメータはＬＬＣＰリンク・パラメータが構成された後に電子装置のコントローラにより送信され、当該記憶空間適用命令は当該ＬＬＣＰリンク・パラメータが構成された後に電子装置のコントローラにより送信される構成応答モジュールを備える。
【０１１４】
さらに、当該構成応答モジュールが、事前設定データおよび当該データのパラメータを受信し、当該データを送信するように構成された第１のＮＦＣコントローラと、当該第１のＮＦＣコントローラにより送信されたデータを受信し記憶し、当該データの記憶位置を当該第１のＮＦＣコントローラに送信して、当該第１のＮＦＣコントローラが記憶ユニットの識別子、記憶位置、および当該データのパラメータを第１の事前設定方式で記憶するようにするように構成された第１の記憶ユニット、または、当該事前設定データを受信し記憶し、当該データの記憶位置を電子装置のコントローラに送信して、電子装置のコントローラが当該データの記憶位置を第２のＮＦＣコントローラに送信するようにするように構成された第２の記憶ユニットと、電子装置のコントローラにより送信された記憶ユニットの識別子、記憶アドレス、および当該データのパラメータを受信し、当該記憶ユニットの識別子、当該記憶アドレス、および当該データのパラメータを第１の事前設定方式で記憶するように構成された当該第２のＮＦＣコントローラ、または、記憶空間パラメータを含む記憶空間適用命令を受信し、当該記憶空間適用命令に従って、記憶容量を含む適用命令をＮＦＣモジュール内の記憶ユニットに送信するように構成された第３のＮＦＣコントローラと、当該適用命令に対応する記憶空間を決定し、当該決定された記憶空間のアドレスを当該第３のＮＦＣコントローラに送信して、当該第３のＮＦＣコントローラが当該記憶空間のアドレス、当該記憶ユニットの識別子、および当該記憶空間パラメータを第２の事前設定方式で記憶するようにするように構成された第３の記憶ユニット、または、記憶容量を含む記憶空間適用命令を受信し、当該適用命令に対応する記憶空間を決定し、当該決定された記憶空間のアドレスを電子装置のコントローラに送信して、電子装置のコントローラが当該記憶ユニットの識別子、当該記憶アドレス、および記憶空間パラメータをＮＦＣモジュールに送信するようにするように構成された第４の記憶ユニットと、電子装置のコントローラが送信した記憶ユニットの識別子、記憶アドレス、および記憶空間パラメータを受信し、当該記憶ユニットの識別子、当該記憶アドレス、および当該記憶空間パラメータを第２の事前設定方式で記憶するように構成された第４のＮＦＣコントローラのうち少なくとも１つを備えてもよい。
【０１１５】
本発明の１実施形態はさらに、電子装置のＮＦＣモジュールに適用されるＮＦＣ制御装置を開示する。図１５に示すように、当該装置は、ＮＦＣリンクが確立された後、データをＮＦＣリンクのタイプと当該データのパラメータに従ってＮＦＣモジュールから取得し、ＮＦＣリンクを用いて当該データを送信するように構成されたＮＦＣデータ送信モジュール１５０１であって、当該データと当該データのパラメータは、ＬＬＣＰリンク・パラメータが構成された後、電子装置のコントローラにより電子装置のＮＦＣモジュールに送信され、当該データと当該データのパラメータはＮＦＣモジュールにより格納される、ＮＦＣデータ送信モジュール１５０１と、ＮＦＣリンクが確立された後、ＮＦＣリンクのタイプに従って、ピア装置により送信されたデータを受信し、当該データをＮＦＣモジュール内の事前設定記憶空間に格納するように構成されたＮＦＣデータ受信モジュール１５０２であって、当該事前設定記憶空間は、ＬＬＣＰリンク・パラメータが構成された後に電子装置のコントローラにより送信された受信された記憶空間適用命令に従ってＮＦＣコントローラにより決定されるＮＦＣデータ受信モジュール１５０２とのうち少なくとも１つを備える。
【０１１６】
さらに、ＮＦＣデータ送信モジュールは、ＮＦＣリンクのタイプを決定するように構成された第１の決定ユニットと、当該データのパラメータを問い合わせ、当該リンクのタイプをサポートする対応するデータが配置された記憶ユニットの識別子を決定するように構成された第２の問合せユニットと、データ取得命令を当該決定された識別子により示された記憶ユニットに送信するように構成された送信ユニットと、当該記憶ユニットにより送信されたデータを受信するように構成された第１の受信ユニットとを備える。
【０１１７】
ＮＦＣデータ受信モジュールは、ＮＦＣリンクのタイプを決定するように構成された第２の決定ユニットと、ＮＦＣリンクのタイプに従って、当該ピア装置により送信されたデータを受信するように構成された第２の受信ユニットと、当該記憶空間の記憶空間パラメータを問い合わせるように構成された第２の問合せユニットと、当該記憶空間パラメータに従ってデータをＮＦＣモジュール内の対応する記憶ユニットに格納するように構成された記憶ユニットとを備える。
【０１１８】
本発明の１実施形態はさらにＮＦＣコントローラを開示する。図１６に示すように、ＮＦＣコントローラは、ＮＦＣリンクが確立された後、データをＮＦＣリンクのタイプと当該データのパラメータに従ってＮＦＣモジュールから取得し、ＮＦＣリンクを用いて当該データを送信し、かつ／または、ＮＦＣリンクが確立された後、ＮＦＣリンクのタイプに従って、ピア装置により送信されたデータを受信し、当該データをＮＦＣモジュール内の事前設定記憶空間に格納するように構成された第２のプロセッサ１６０１であって、当該データと当該データのパラメータは、ＬＬＣＰリンク・パラメータが構成された後、電子装置のコントローラにより電子装置のＮＦＣモジュールに送信され、当該データと当該データのパラメータはＮＦＣモジュールにより格納され、当該事前設定記憶空間は、ＬＬＣＰリンク・パラメータが構成された後に電子装置のコントローラにより送信された受信された記憶空間適用命令に従ってＮＦＣコントローラにより決定される第２のプロセッサ１６０１と、当該第２のプロセッサ内のプログラムと当該第２のプロセッサ内のプログラムが実行されたときに生成されるデータとを格納するように構成された第２のメモリ１６０２とを備える。
【０１１９】
当該実施形態の方法の機能をソフトウェア機能ユニットの形態で実装し独立な製品として販売または使用するとき、当該機能をコンピューティング・デバイス可読記憶媒体に格納してもよい。かかる理解に基づいて、先行技術に寄与する本発明の諸実施形態の一部または技術的解決策の一部をソフトウェア製品の形で実装してもよい。当該ソフトウェア製品は記憶媒体に格納され、本発明の諸実施形態で説明した方法のステップの全部または一部を実施するようにコンピューティング・デバイス（パーソナル・コンピュータ、サーバ、モバイル・コンピューティング・デバイス、またはネットワーク装置であってもよい）に指示するための幾つかの命令を含む。以上の記憶媒体には、ＵＳＢフラッシュ・ドライブ、取外し可能ハード・ディスク、読取専用メモリ（ＲＯＭ、Ｒｅａｄ−Ｏｎｌｙ  Ｍｅｍｏｒｙ）、ランダム・アクセス・メモリ（ＲＡＭ、Ｒａｎｄｏｍ  Ａｃｃｅｓｓ  Ｍｅｍｏｒｙ）、磁気ディスク、または光ディスクのような、プログラム・コードを記憶できる任意の媒体が含まれる。
【０１２０】
本明細書の諸実施形態は全て漸進的な方式で説明され、当該諸実施形態における同一または類似の部分に関してはこれらの実施形態を参照されたい。各実施形態は他の実施形態との差異に着目している。
【０１２１】
開示した実施形態の以上の説明により、当業者は本発明を実施または利用することができる。当該諸実施形態に対する様々な修正は当業者には自明であり、本明細書で定義した一般的な原理を本発明の趣旨と範囲から逸脱することなく他の実施形態で実装してもよい。したがって、本発明は、本明細書で説明した実施形態には限定されず、本明細書で開示した原理と新規性に従う最も広い範囲に拡張される。
【符号の説明】
【０１２２】
１４０１  第１のプロセッサ
１４０２  第１のメモリ
１５０１  ＮＦＣデータ送信モジュール
１５０２  ＮＦＣデータ受信モジュール
１６０１  第２のプロセッサ
１６０２  第２のメモリ
【図１】
2016511958.tif 000005
【図２】
2016511958.tif 000006
【図３】
2016511958.tif 000007
【図４】
2016511958.tif 000008
【図５】
2016511958.tif 000009
【図６】
2016511958.tif 000010
【図７】
2016511958.tif 000011
【図８】
2016511958.tif 000012
【図９】
2016511958.tif 000013
【図１０】
2016511958.tif 000014
【図１１】
2016511958.tif 000015
【図１２】
2016511958.tif 000016
【図１３】
2016511958.tif 000017
【図１４】
2016511958.tif 000018
【図１５】
2016511958.tif 000019
【図１６】
2016511958.tif 000020
【手続補正書】
【提出日】平成27年9月9日(2015.9.9)
【手続補正１】
【補正対象書類名】明細書
【補正対象項目名】０００３
【補正方法】変更
【補正の内容】
【０００３】
ＮＦＣ技術の発展とともに、ＮＦＣ  Ｈｉｇｈ技術が台頭した。ＮＦＣ  Ｈｉｇｈ技術の特徴は、ＮＦＣコントローラ（ＮＦＣ  ｃｏｎｔｒｏｌｌｅｒ、ＮＦＣＣ）がＬＬＣＰリンクに基づく関連動作を制御し、電子装置のコントローラ（Ｄｅｖｉｃｅ  Ｈｏｓｔ、ＤＨ）がマスタ・コントローラの役割を果たし、ＬＬＣＰリンク上でのアプリケーション層データの交換の役割を担うことである。この場合、アプリケーション層データを送信するためにＮＦＣ  Ｈｉｇｈ技術を使用する限り、ＤＨが動作状態に留まる必要がある。したがって、ＤＨは、アプリケーション層データを必要とするＮＦＣのＰ２Ｐデータ送信に参加する必要があり、ＤＨの負荷が増大する。
【手続補正２】
【補正対象書類名】明細書
【補正対象項目名】００１５
【補正方法】変更
【補正の内容】
【００１５】
本発明の諸実施形態では、ＮＦＣ構成方法およびコントローラを開示する。本発明の中心は、電子装置のコントローラが、ＮＦＣ  Ｈｉｇｈ方式を用いて送信されたデータをＮＦＣモジュールに送信し、記憶空間適用命令をＮＦＣモジュールに送信して、受信されたデータに対する記憶空間をＮＦＣモジュール内に予約することである。以上の構成方法およびコントローラに基づいて、本発明の諸実施形態ではＮＦＣデータ送信方法およびＮＦＣコントローラを開示する。電子装置がＮＦＣ  Ｈｉｇｈを用いてデータを送信するとき、ＮＦＣコントローラは送信されたデータをＮＦＣモジュールから直接取得するか、または、受信されたデータをＮＦＣモジュール内の予約された記憶空間に格納してもよい。したがって、ＮＦＣ  Ｈｉｇｈを用いてデータを送信するときに電子装置のコントローラの参加は必要でない。
【手続補正３】
【補正対象書類名】明細書
【補正対象項目名】００３２
【補正方法】変更
【補正の内容】
【００３２】
データを受信した後、記憶ユニットがデータを格納し、当該データの記憶アドレスをＤＨにフィードバックする。Ｓ３０３で、ＤＨが当該記憶ユニットによりフィードバックされた記憶アドレスを受信する。
【手続補正４】
【補正対象書類名】明細書
【補正対象項目名】００３３
【補正方法】変更
【補正の内容】
【００３３】
Ｓ３０４で、ＤＨが記憶アドレス、記憶ユニットの識別子、および当該データのパラメータをＮＦＣＣに送信して、ＮＦＣＣが記憶ユニットの識別子、記憶アドレスおよび当該データのパラメータを記憶するようにする。
【手続補正５】
【補正対象書類名】明細書
【補正対象項目名】００３４
【補正方法】変更
【補正の内容】
【００３４】
当該実施形態の方式では、ＤＨは事前設定データをＳＥまたはＮＦＣＣ内の記憶ユニットに直接送信し、ＳＥまたはＮＦＣＣ内の記憶ユニットからフィードバックを受信した後、フィードバック情報および当該データのパラメータをＮＦＣＣに送信する。
【手続補正６】
【補正対象書類名】明細書
【補正対象項目名】００３９
【補正方法】変更
【補正の内容】
【００３９】
特に、図４に示すように、ＤＨがＬＬＣＰリンク・パラメータを構成し記憶空間適用命令をＮＦＣモジュールに送信する１実装方式は以下を含む。Ｓ４０１で、ＤＨがＬＬＣＰ  Ｈｉｇｈに関連するパラメータを構成する。Ｓ４０２で、ＤＨが当該記憶空間適用命令をＮＦＣモジュール内のＮＦＣＣに送信する。
【手続補正７】
【補正対象書類名】明細書
【補正対象項目名】００４８
【補正方法】変更
【補正の内容】
【００４８】
特に、当該記憶空間パラメータは少なくともＳＡＰを含み、そのうえ、さらにＬＳＣを含んでもよい。
【手続補正８】
【補正対象書類名】明細書
【補正対象項目名】００６４
【補正方法】変更
【補正の内容】
【００６４】
Ｓ８０２で、当該記憶ユニットが当該データを格納し、格納が成功したことをＤＨに通知し、当該データの記憶アドレスをＤＨに送信する。
【手続補正９】
【補正対象書類名】明細書
【補正対象項目名】００６６
【補正方法】変更
【補正の内容】
【００６６】
以前の実装方式との差異は、当該実装方式では、記憶ユニットがＤＨと直接交換し、記憶アドレスが決定された後、ＮＦＣＣがＤＨにより送信された当該記憶アドレス、当該記憶ユニットの識別子、および当該データのパラメータを受信することである。
【手続補正１０】
【補正対象書類名】明細書
【補正対象項目名】００８９
【補正方法】変更
【補正の内容】
【００８９】
即ち、ＮＦＣデータ送信の前に、当該データと当該データのパラメータが前もってＤＨによりＮＦＣモジュールに格納される。特に、当該データと当該データのパラメータをＮＦＣモジュールに格納する手続きはＮＦＣデータ送信に対する構成段階である。上述のＮＦＣ構成方法の実施形態を参照されたい。詳細についてはここでは再度説明しない。特に、図１２に示すように、Ｓ１１０１が以下を含んでもよい。即ち、Ｓ１２０１でＮＦＣリンクを確立する。
【手続補正１１】
【補正対象書類名】明細書
【補正対象項目名】００９３
【補正方法】変更
【補正の内容】
【００９３】
特に、ＮＦＣリンクのタイプがＣＬまたはＣＬ／ＣＯであるとき、表１を問い合わせ、ＳＥ１、ＳＥ２、およびＳＥ３に対応する記憶アドレス内のデータがサポートするリンクのタイプがＮＦＣリンクのタイプと同じであること、即ち、現在のリンクのタイプがサポートされることが決定される。ＮＦＣリンクのタイプがＣＯであるとき、表１を問い合わせ、記憶ユニットの識別子と記憶アドレスが決定されると、ＬＳＣがＣＯであるという基礎に加えて、ＳＡＰタイプがさらに基礎として使用される。基礎として使用されるＳＡＰタイプは、ＮＦＣリンク確立段階でピア装置により送信される。例えば、当該ピア装置により送信されたＣｏｎｔａｃｔｓが受信された場合、記憶ユニットの識別子とアドレスが問い合わされると、ＣＯとＣｏｎｔａｃｔｓの両方が満たされなければならないということが基礎として用いられる。
【手続補正１２】
【補正対象書類名】明細書
【補正対象項目名】０１１０
【補正方法】変更
【補正の内容】
【０１１０】
さらに、ＮＦＣ構成モジュールが特に、事前設定データをＮＦＣモジュール内のＮＦＣコントローラに送信し、ＮＦＣコントローラが当該データを記憶するためにＮＦＣモジュール内の記憶ユニットに送信するようにし、当該データのパラメータをＮＦＣコントローラに送信して、ＮＦＣコントローラが当該データのパラメータを格納するようにするように構成された第１のＮＦＣコントローラ対話ユニット、または、当該事前設定データをＮＦＣモジュール内の記憶ユニットに送信して、当該記憶ユニットが当該データを記憶し、当該データの記憶アドレスを電子装置のコントローラに送信するようにし、当該記憶ユニットによりフィードバックされた受信された記憶アドレス、当該記憶ユニットの識別子、および当該データのパラメータをＮＦＣコントローラに送信して、ＮＦＣコントローラが当該記憶ユニットの識別子、記憶アドレスおよび当該データのパラメータを記憶するようにするように構成された第１の記憶ユニット対話ユニット、または、記憶空間パラメータを含む記憶空間適用命令をＮＦＣモジュール内のＮＦＣコントローラに送信して、ＮＦＣコントローラが当該記憶空間に対するＮＦＣモジュール内の記憶ユニットに適用されるようにするように構成された第２のＮＦＣコントローラ対話ユニット、または、記憶容量を含む記憶空間適用命令をＮＦＣモジュール内の記憶ユニットに送信して、当該記憶ユニットが、当該適用命令に対応する記憶空間を決定し、当該記憶ユニットによりフィードバックされた決定された記憶空間のアドレスを受信するようにし、当該記憶ユニットの識別子、記憶アドレス、および記憶空間パラメータをＮＦＣコントローラに送信して、ＮＦＣコントローラが電子装置のコントローラが送信した記憶ユニットの識別子、記憶アドレス、および記憶空間パラメータを受信し記憶するようにするように構成された第２の記憶ユニット対話ユニットであってもよい。
【手続補正１３】
【補正対象書類名】明細書
【補正対象項目名】０１１２
【補正方法】変更
【補正の内容】
【０１１２】
本発明の１実施形態ではさらにコントローラを開示する。図１４に示すように、当該コントローラは、電子装置のコントローラがＬＬＣＰリンク・パラメータを構成した後、事前設定データと当該データのパラメータを電子装置のＮＦＣモジュールに送信して、ＮＦＣモジュールが当該データと当該データのパラメータを記憶するようにし、かつ／または、電子装置のコントローラがＬＬＣＰリンク・パラメータを構成した後、記憶空間適用命令をＮＦＣモジュールに送信して、ＮＦＣモジュールが受信されたデータに対する記憶空間を当該命令に従って決定するようにするように構成された第１のプロセッサ１４０１と、第１のプロセッサ１４０１内のプログラムと第１のプロセッサ１４０１内のプログラムが実行されたとき生成されるデータとを格納するように構成された第１のメモリ１４０２とを備える。
【手続補正１４】
【補正対象書類名】明細書
【補正対象項目名】０１１４
【補正方法】変更
【補正の内容】
【０１１４】
さらに、当該構成応答モジュールが、事前設定データおよび当該データのパラメータを受信し、当該データを送信するように構成された第１のＮＦＣコントローラと、当該第１のＮＦＣコントローラにより送信されたデータを受信し記憶し、当該データの記憶アドレスを当該第１のＮＦＣコントローラに送信して、当該第１のＮＦＣコントローラが記憶ユニットの識別子、記憶アドレス、および当該データのパラメータを第１の事前設定方式で記憶するようにするように構成された第１の記憶ユニット、または、当該事前設定データを受信し記憶し、当該データの記憶アドレスを電子装置のコントローラに送信して、電子装置のコントローラが当該データの記憶アドレスを第２のＮＦＣコントローラに送信するようにするように構成された第２の記憶ユニットと、電子装置のコントローラにより送信された記憶ユニットの識別子、記憶アドレス、および当該データのパラメータを受信し、当該記憶ユニットの識別子、当該記憶アドレス、および当該データのパラメータを第１の事前設定方式で記憶するように構成された当該第２のＮＦＣコントローラ、または、記憶空間パラメータを含む記憶空間適用命令を受信し、当該記憶空間適用命令に従って、記憶容量を含む適用命令をＮＦＣモジュール内の記憶ユニットに送信するように構成された第３のＮＦＣコントローラと、当該適用命令に対応する記憶空間を決定し、当該決定された記憶空間のアドレスを当該第３のＮＦＣコントローラに送信して、当該第３のＮＦＣコントローラが当該記憶空間のアドレス、当該記憶ユニットの識別子、および当該記憶空間パラメータを第２の事前設定方式で記憶するようにするように構成された第３の記憶ユニット、または、記憶容量を含む記憶空間適用命令を受信し、当該適用命令に対応する記憶空間を決定し、当該決定された記憶空間のアドレスを電子装置のコントローラに送信して、電子装置のコントローラが当該記憶ユニットの識別子、当該記憶アドレス、および記憶空間パラメータをＮＦＣモジュールに送信するようにするように構成された第４の記憶ユニットと、電子装置のコントローラが送信した記憶ユニットの識別子、記憶アドレス、および記憶空間パラメータを受信し、当該記憶ユニットの識別子、当該記憶アドレス、および当該記憶空間パラメータを第２の事前設定方式で記憶するように構成された第４のＮＦＣコントローラのうち少なくとも１つを備えてもよい。
【手続補正１５】
【補正対象書類名】明細書
【補正対象項目名】０１１６
【補正方法】変更
【補正の内容】
【０１１６】
さらに、ＮＦＣデータ送信モジュール１５０１は、ＮＦＣリンクのタイプを決定するように構成された第１の決定ユニットと、当該データのパラメータを問い合わせ、当該リンクのタイプをサポートする対応するデータが配置された記憶ユニットの識別子を決定するように構成された第２の問合せユニットと、データ取得命令を当該決定された識別子により示された記憶ユニットに送信するように構成された送信ユニットと、当該記憶ユニットにより送信されたデータを受信するように構成された第１の受信ユニットとを備える。
【手続補正１６】
【補正対象書類名】明細書
【補正対象項目名】０１１７
【補正方法】変更
【補正の内容】
【０１１７】
ＮＦＣデータ受信モジュール１５０２は、ＮＦＣリンクのタイプを決定するように構成された第２の決定ユニットと、ＮＦＣリンクのタイプに従って、当該ピア装置により送信されたデータを受信するように構成された第２の受信ユニットと、当該記憶空間の記憶空間パラメータを問い合わせるように構成された第２の問合せユニットと、当該記憶空間パラメータに従ってデータをＮＦＣモジュール内の対応する記憶ユニットに格納するように構成された記憶ユニットとを備える。
【手続補正１７】
【補正対象書類名】明細書
【補正対象項目名】０１１８
【補正方法】変更
【補正の内容】
【０１１８】
本発明の１実施形態はさらにＮＦＣコントローラを開示する。図１６に示すように、ＮＦＣコントローラは、ＮＦＣリンクが確立された後、データをＮＦＣリンクのタイプと当該データのパラメータに従ってＮＦＣモジュールから取得し、ＮＦＣリンクを用いて当該データを送信し、かつ／または、ＮＦＣリンクが確立された後、ＮＦＣリンクのタイプに従って、ピア装置により送信されたデータを受信し、当該データをＮＦＣモジュール内の事前設定記憶空間に格納するように構成された第２のプロセッサ１６０１であって、当該データと当該データのパラメータは、ＬＬＣＰリンク・パラメータが構成された後、電子装置のコントローラにより電子装置のＮＦＣモジュールに送信され、当該データと当該データのパラメータはＮＦＣモジュールにより格納され、当該事前設定記憶空間は、ＬＬＣＰリンク・パラメータが構成された後に電子装置のコントローラにより送信された受信された記憶空間適用命令に従ってＮＦＣコントローラにより決定される第２のプロセッサ１６０１と、当該第２のプロセッサ内のプログラムと第２のプロセッサ１６０１内のプログラムが実行されたときに生成されるデータとを格納するように構成された第２のメモリ１６０２とを備える。
【手続補正１８】
【補正対象書類名】特許請求の範囲
【補正対象項目名】全文
【補正方法】変更
【補正の内容】
【特許請求の範囲】
【請求項１】
電子装置のコントローラに適用されるＮＦＣ構成方法であって、前記電子装置の前記コントローラがＬＬＣＰリンク・パラメータを構成した後に、
事前設定データと前記データのパラメータを前記電子装置のＮＦＣモジュールに送信して、前記ＮＦＣモジュールが前記データと前記データの前記パラメータを記憶するようにするステップ
を含み、
前記事前設定データと前記データのパラメータを前記電子装置のＮＦＣモジュールに送信して、前記ＮＦＣモジュールが前記データと前記データの前記パラメータを記憶するようにするステップは、
前記事前設定データを前記ＮＦＣモジュール内のＮＦＣコントローラに送信して、前記ＮＦＣコントローラが前記データを記憶するために前記ＮＦＣモジュール内の記憶ユニットに送信するようにするステップと、
前記データの前記パラメータを前記ＮＦＣコントローラに送信して、前記ＮＦＣコントローラが前記データの前記パラメータを格納するようにするステップと、
を含む、方法。
【請求項２】
前記記憶ユニットは、
前記ＮＦＣモジュール内のセキュリティ要素と、
前記ＮＦＣモジュール内の前記コントローラの記憶ユニットと、
のうち少なくとも１つである、請求項１に記載の方法。
【請求項３】
電子装置のＮＦＣモジュール内のＮＦＣコントローラに適用されるＮＦＣデータ送信方法であって、
ＮＦＣリンクが確立された後、データを前記ＮＦＣモジュールから前記ＮＦＣリンクのタイプと前記データのパラメータに従って取得し、前記ＮＦＣリンクを用いて前記データを送信するステップであって、前記データと前記データの前記パラメータは、ＬＬＣＰリンク・パラメータが構成された後、前記電子装置のコントローラにより前記電子装置の前記ＮＦＣモジュールに送信され、前記データと前記データの前記パラメータは前記ＮＦＣモジュールにより格納されるステップ
を含み、
事前設定データを前記ＮＦＣモジュールから前記ＮＦＣリンクのタイプおよび前記事前設定データのパラメータに従って取得するステップは、
前記ＮＦＣリンクの前記タイプを決定するステップと、
前記データの前記パラメータを問い合わせ、前記リンクの前記タイプをサポートする対応するデータが配置された記憶ユニットの識別子を決定するステップと、
データ取得命令を前記決定された識別子により示された前記記憶ユニットに送信するステップと、
前記記憶ユニットにより送信された前記データを受信するステップと、
を含む、方法。
【請求項４】
前記記憶ユニットは、
前記ＮＦＣモジュール内のセキュリティ要素と、
前記ＮＦＣモジュール内の前記コントローラの記憶ユニットと、
のうち少なくとも１つである、請求項３に記載の方法。
【請求項５】
電子装置に適用される制御装置であって、
前記電子装置のコントローラがＬＬＣＰリンク・パラメータを構成した後、事前設定データと前記データのパラメータを前記電子装置のＮＦＣモジュールに送信して、前記ＮＦＣモジュールが前記データと前記データの前記パラメータを記憶するように構成されたＮＦＣ構成モジュール
を備え、
前記ＮＦＣ構成モジュールは、前記事前設定データを前記ＮＦＣモジュール内のＮＦＣコントローラに送信して、前記ＮＦＣコントローラが前記データを記憶するために前記ＮＦＣモジュール内の記憶ユニットに送信するようにし、前記データの前記パラメータを前記ＮＦＣコントローラに送信し、前記ＮＦＣコントローラが前記データの前記パラメータを格納するようにするように構成された第１のＮＦＣコントローラ対話ユニット
を備える、制御装置。
【請求項６】
前記記憶ユニットは、
前記ＮＦＣモジュール内のセキュリティ要素と、
前記ＮＦＣモジュール内の前記コントローラの記憶ユニットと、
のうち少なくとも１つである、請求項５に記載の制御装置。
【請求項７】
電子装置のＮＦＣモジュールに適用されるＮＦＣ制御装置であって、
ＮＦＣリンクが確立された後、データを前記ＮＦＣリンクのタイプと前記データのパラメータに従って前記ＮＦＣモジュールから取得し、前記ＮＦＣリンクを用いて前記データを送信するように構成されたＮＦＣデータ送信モジュールであって、前記データと前記データの前記パラメータは、ＬＬＣＰリンク・パラメータが構成された後、前記電子装置のコントローラにより前記電子装置の前記ＮＦＣモジュールに送信され、前記データと前記データの前記パラメータは前記ＮＦＣモジュールにより格納されるＮＦＣデータ送信モジュール
を備え、
前記ＮＦＣデータ送信モジュールは、
前記ＮＦＣリンクの前記タイプを決定するように構成された第１の決定ユニットと、
前記データの前記パラメータを問い合わせ、前記リンクの前記タイプをサポートする対応するデータが配置された記憶ユニットの識別子を決定するように構成された第２の問合せユニットと、
データ取得命令を前記決定された識別子により示された前記記憶ユニットに送信するように構成された送信ユニットと、
前記記憶ユニットにより送信された前記データを受信するように構成された第１の受信ユニットと、
を備える、ＮＦＣ制御装置。
【請求項８】
請求項１乃至４の何れか１項に記載の方法をコンピュータに実行させるプログラムを記録した、コンピュータ可読記憶媒体。
【国際調査報告】
2016511958.tif 000021
2016511958.tif 000022
2016511958.tif 000023
2016511958.tif 000024